(57)【要約】【課題】ビジネスバッグへの収納性が良く持ち運びに便利な携帯型スクリーンを提供することを目的とする。【解決手段】プロジェクターの投射光を投影するスクリーンシート１と、スクリーンシート１の投影面と反対側に位置する面の一方の領域を覆う右パネル２ａと、スクリーンシート１の投影面と反対側に位置する面の他方の領域を覆う左パネル２ｂと、右パネル２ａと左パネル２ｂとの間をスライドするスライド部材５と、を備え、右パネル２ａと左パネル２ｂは、スライド部材５が右パネル２ａ上のみに位置するときにスクリーンシート１の投影面を覆うことができ、スライド部材５が右パネル２ａと左パネル２ｂとを跨ぐように位置するときにスクリーンシート１の投影面を露出させた状態でスクリーンシート１の位置を保持することを特徴とする。【選択図】図１
2014123010.tif 000002
【特許請求の範囲】
【請求項１】
プロジェクターの投射光を投影するスクリーンシートと、
前記スクリーンシートの投影面と反対側に位置する面の一方の領域を覆う第１パネルと、
前記スクリーンシートの投影面と反対側に位置する面の他方の領域を覆う第２パネルと、
前記第１パネルと前記第２パネルとの間をスライドするスライド部材と、を備え、
前記第１パネルと前記第２パネルは、
前記スライド部材が前記第１パネル上のみに位置するときに前記スクリーンシートの投影面を覆うことができ、
前記スライド部材が前記第１パネルと前記第２パネルとを跨ぐように位置するときに前記スクリーンシートの投影面を露出させた状態で前記スクリーンシートの位置を保持することを特徴とする携帯型スクリーン。
【請求項２】
前記スクリーンシートは直線状の屈曲可能なヒンジ部を有し、
前記ヒンジ部は、前記スクリーンシートの厚み方向の厚さを薄くすることにより形成され、前記第１パネルと前記第２パネルとの境界に沿って位置することを特徴とする請求項１記載の携帯型スクリーン。
【請求項３】
前記第１パネルは、前記第１パネルの厚み方向の厚さを薄くすることにより形成される第１凹みレールと、前記第１凹みレール上を移動する前記スライド部材に当接して前記スライド部材のスライドを停止させる第１ストッパー部材とを有し、
前記第２パネルは、前記第２パネルの厚み方向の厚さを薄くすることにより形成され前記第１凹みレールの一方の端部と接続する第２凹みレールと、前記第２凹みレール上を移動する前記スライド部材に当接して前記スライド部材のスライドを停止させる第２ストッパー部材とを有し、
前記スライド部材は、前記第１ストッパー部材と当接するときに前記第１凹みレール上のみに位置し、前記第２ストッパー部材と当接するときに前記第１凹みレールと前記第２凹みレールとを跨ぐように位置することを特徴とする請求項２記載の携帯型スクリーン。
【請求項４】
前記スライド部材は、前記第１パネルの端部の少なくとも一部を覆うと共に前記第１パネルの主平面に対して垂直に位置する少なくとも１つの平面を有し、
前記携帯型スクリーンは、前記スライド部材の前記平面が前記携帯型スクリーンの設置面と接することにより、前記設置面に対して直立することを特徴とする請求項３記載の携帯型スクリーン。
【請求項５】
前記第１パネルに隣接する第１補助部材と、
前記第２パネルに隣接する第２補助部材と、を有し、
前記携帯型スクリーンは、前記スライド部材の平面と、前記第１補助部材と、前記第２補助部材とが、前記携帯型スクリーンの設置面に接することにより、前記設置面に対して直立することを特徴とする請求項４記載の携帯型スクリーン。
【請求項６】
前記第１パネルに隣接する第１補助部材と、
前記第２パネルに隣接する第２補助部材と、
前記第１パネルと前記第２パネルの境界の少なくとも一部を前記スクリーンシートと反対側の面から覆う背面カバーと、を有し、
前記背面カバーは、
前記第１パネルと前記第２パネルとが前記スクリーンシートの投影面を覆うように重なっているときに前記第１パネルと前記第２パネルに沿って位置し、
前記第１パネルと前記第２パネルとが前記スクリーンシートの投影面を露出させるように開いているときに前記第１パネルと前記第２パネルとから離反するように位置することを特徴とする請求項３記載の携帯型スクリーン。
【発明の詳細な説明】
【技術分野】
【０００１】
本発明は、プロジェクターの投射光を投影する携帯型スクリーンに関するものである。
【背景技術】
【０００２】
プロジェクターの投射光を投影するスクリーンは、会議室に設置される据え置き型が一般的である。
【０００３】
会議室を利用せずにプロジェクターを用いて打合せを行う場合もあるが、このような場合、携帯が可能な携帯型スクリーンが必要となる。
【先行技術文献】
【特許文献】
【０００４】
【特許文献１】特開２００５−７０３１３号公報
【発明の概要】
【発明が解決しようとする課題】
【０００５】
現在、携帯型スクリーンとしてロール収納型スクリーンが多く用いられている。
【０００６】
しかしながら、このロール収納型スクリーンは、スクリーン収納部内への巻き取り力に抗してスクリーンを引き出し、この状態でスクリーンを固定して使用するものである。そのため、スクリーンの投影領域のサイズを大きくするとスクリーンの横幅が大きくなり、ビジネスバッグへの収納性が悪くなるという問題があった。また、スクリーンを固定するスタンドが必要となり、携帯型スクリーンの総重量が重くなって持ち運びが不便になるという問題があった。
【０００７】
本発明は、上記課題を解決するためになされたものであって、ビジネスバッグへの収納性が良く持ち運びに便利な携帯型スクリーンを提供することを目的とする。
【課題を解決するための手段】
【０００８】
本発明は、プロジェクターの投射光を投影するスクリーンシートと、スクリーンシートの投影面と反対側に位置する面の一方の領域を覆う第１パネルと、スクリーンシートの投影面と反対側に位置する面の他方の領域を覆う第２パネルと、第１パネルと第２パネルとの間をスライドするスライド部材と、を備え、第１パネルと第２パネルは、スライド部材が第１パネル上のみに位置するときにスクリーンシートの投影面を覆うことができ、スライド部材が第１パネルと第２パネルとを跨ぐように位置するときにスクリーンシートの投影面を露出させた状態でスクリーンシートの位置を保持することを特徴とする携帯型スクリーンである。
【発明の効果】
【０００９】
本発明は上記構成により、第１パネルと第２パネルは、スクリーンシートを保護する機能と、スクリーンシートの投影面を露出させつつスクリーンシートの位置を保持する機能とを有し、スライド部材の位置によりこれらの機能を使い分けるので、携帯型スクリーンの利便性を損なうことなく、携帯型スクリーンをコンパクトにすることができる。その結果、ビジネスバックへの収納性が良く持ち運びに便利な携帯型スクリーンを実現できる。
【図面の簡単な説明】
【００１０】
【図１】本発明の実施の形態１における携帯型スクリーンの斜視図
【図２】本発明の実施の形態１における携帯型スクリーンのスライド部材を示す図
【図３】本発明の実施の形態１における携帯型スクリーンのスライド部材を示す図
【図４】本発明の実施の形態１における携帯型スクリーンの斜視図
【図５】本発明の実施の形態１におけるスライド部材の斜視図
【図６】本発明の実施の形態１におけるスライド部材の断面図
【図７】本発明の実施の形態１における携帯型スクリーンの斜視図
【発明を実施するための形態】
【００１１】
請求項１記載の発明は、プロジェクターの投射光を投影するスクリーンシートと、スクリーンシートの投影面と反対側に位置する面の一方の領域を覆う第１パネルと、スクリーンシートの投影面と反対側に位置する面の他方の領域を覆う第２パネルと、第１パネルと第２パネルとの間をスライドするスライド部材と、を備え、第１パネルと第２パネルは、スライド部材が第１パネル上のみに位置するときにスクリーンシートの投影面を覆うことができ、スライド部材が第１パネルと第２パネルとを跨ぐように位置するときにスクリーンシートの投影面を露出させた状態でスクリーンシートの位置を保持することを特徴とする。これにより、第１パネルと第２パネルは、スクリーンシートを保護する機能と、スクリーンシートの投影面を露出させつつスクリーンシートの位置を保持する機能とを有し、スライド部材の位置によりこれらの機能を使い分けるので、携帯型スクリーンの利便性を損なうことなく、携帯型スクリーンをコンパクトにすることができる。その結果、ビジネスバックへの収納性が良く持ち運びに便利な携帯型スクリーンを実現できる。
【００１２】
請求項２記載の発明は、スクリーンシートは直線状の屈曲可能なヒンジ部を有し、ヒンジ部は、スクリーンシートの厚み方向の厚さを薄くすることにより形成され、第１パネルと第２パネルとの境界に沿って位置することを特徴とする。これにより、スクリーンシートの面積に対して第１パネルと第２パネルの面積を最小にして携帯型スクリーンのコンパクト性を高めることができる。
【００１３】
請求項３記載の発明は、第１パネルは、第１パネルの厚み方向の厚さを薄くすることにより形成される第１凹みレールと、第１凹みレール上を移動するスライド部材に当接してスライド部材のスライドを停止させる第１ストッパー部材とを有し、第２パネルは、第２パネルの厚み方向の厚さを薄くすることにより形成され第１凹みレールの一方の端部と接続する第２凹みレールと、第２凹みレール上を移動するスライド部材に当接してスライド部材のスライドを停止させる第２ストッパー部材とを有し、スライド部材は、第１ストッパー部材と当接するときに第１凹みレール上のみに位置し、第２ストッパー部材と当接するときに第１凹みレールと第２凹みレールとを跨ぐように位置することを特徴とする。これにより、第１凹みレールと第２凹みレールとの間を移動するスライド部材を安定して移動させることができ、第１ストッパー部材と第２ストッパー部材によりスライド部材を確実に停止させるので、スクリーンシートを保護する機能と、スクリーンシートの投影面を露出させつつスクリーンシートの位置を保持する機能とを確実に使い分けることができる。
【００１４】
請求項４記載の発明は、スライド部材は、第１パネルの端部の少なくとも一部を覆うと共に第１パネルの主平面に対して垂直に位置する少なくとも１つの平面を有し、携帯型スクリーンは、スライド部材の平面が携帯型スクリーンの設置面と接することにより、設置面に対して直立することを特徴とする。これにより、携帯型スクリーンを設置面に対して直立させるスタンドとしてスライド部材を利用するので、携帯型スクリーンのコンパクト性を維持しつつ携帯型スクリーンの利便性を向上させることができる。
【００１５】
請求項５記載の発明は、第１パネルに隣接する第１補助部材と、第２パネルに隣接する第２補助部材と、を有し、携帯型スクリーンは、スライド部材の平面と、第１補助部材と、第２補助部材とが、携帯型スクリーンの設置面に接することにより、設置面に対して直立することを特徴とする。これにより、携帯型スクリーンを設置面に対して直立させるスタンドとして、スライド部材と、第１補助部材と、第２補助部材とを利用するので、携帯型スクリーンの直立姿勢を安定して維持することができる。
【００１６】
請求項６記載の発明は、第１パネルに隣接する第１補助部材と、第２パネルに隣接する第２補助部材と、第１パネルと第２パネルの境界の少なくとも一部をスクリーンシートと反対側の面から覆う背面カバーと、を有し、背面カバーは、第１パネルと第２パネルとがスクリーンシートの投影面を覆うように重なっているときに第１パネルと第２パネルに沿って位置し、第１パネルと第２パネルとがスクリーンシートの投影面を露出させるように開いているときに第１パネルと第２パネルとから離反するように位置することを特徴とする。これにより、携帯型スクリーンを設置面に対して直立させるスタンドとして、第１パネルと、第２パネルと、第１補助部材と、第２補助部材と、背面カバーとを利用するので、携帯型スクリーンを設置面に対して直立させ、その直立姿勢を維持することができる。
【００１７】
（実施の形態１）
以下、本発明の実施の形態１におけるスクリーンについて、図面を参照しながら説明する。
【００１８】
図１は、本発明の実施の形態１における携帯型スクリーンの斜視図であり、携帯型スクリーンを開いた状態（投影面を露出させた状態）を表側から見た図である。なお、本実施の形態１における第１パネル、第２パネル、ヒンジ部、第１補助部材、第２補助部材は、それぞれ右パネル２ａ、左パネル２ｂ、凹みヒンジ１ａ、右見開き部２ｃ、左見開き部２ｄに相当する。また、本実施の形態１における第１凹みレール、第２凹みレール、第１ストッパー部材、第２ストッパー部材は、それぞれ凹みレール３ａ、凹みレール３ｂ、右ストッパー部材４ａ、左ストッパー部材４ｂに相当する。
【００１９】
携帯型スクリーン１００は、スクリーンシート１と、外装パネルと、スライド部材５とから構成される。
【００２０】
スクリーンシート１は、プロジェクターの投射光を投影する機能を有し、その長手方向の中央領域に直線状の屈曲可能な凹みヒンジ１ａを備える。凹みヒンジ１ａは、スクリーンシート１の厚み方向の厚さを薄くすることにより形成され、屈曲するヒンジとしての機能を有する。スクリーンシート１は、この凹みヒンジ１ａの機能を利用して、スクリーンシート１の投影面を内側にして半分に折り曲げることができる。スクリーンシート１の材料にはポリプロピレ樹脂材（ＰＰ）をベースにしたものを用い、スクリーンシート１自体の強度やスクリーンシート１の折り曲げ性を考慮して、その厚さを０．３ｍｍ〜１ｍｍ程度としている。これにより、スクリーンシート１の折り曲げ性と凹みヒンジ１ａのヒンジ開閉（曲げ）繰り返し寿命性能の両立を図っている。
【００２１】
外装パネルは、スクリーンシート１を保護する機能を有し、プロジェクター側から見て右側に位置する右パネル２ａと、プロジェクター側から見て左側に位置する左パネル２ｂとを備える。右パネル２ａはスクリーンシート１の投影面と反対側に位置する面の一方を覆い、両面テープまたは接着剤などでスクリーンシート１に固定されている。また、左パネル２ｂはスクリーンシート１の投射面と反対側に位置する面の他方を覆い、両面テープまたは接着剤などでスクリーンシート１に固定されている。スクリーンシート１の凹みヒンジ１ａを右パネル２ａと左パネル２ｂとの境界に沿って位置させることにより、スクリーンシート１の面積に対して右パネル２ａと左パネル２ｂの面積を最小にして携帯型スクリーン１００のコンパクト性を高めることができる。
【００２２】
右パネル２ａと左パネル２ｂは、ポリプロピレン樹脂材（ＰＰ材）などで形成され、右パネル２ａと左パネル２ｂの厚みは１ｍｍ〜２ｍｍ程度である。これにより、ビジネスバッグに収納しても変形しない程度の強度を確保しつつ軽量化を達成している。また、パネルの色の選択肢を広げることができ、嗜好および用途に合わせたカラーリング選択を可能とする。さらに、パネル表面にロゴやブランド名などを自由に印刷することも可能になる。
【００２３】
また、右パネル２ａと左パネル２ｂは開閉可能となっており、この右パネル２ａと左パネル２ｂを開閉することにより、携帯型スクリーンの状態を変化させることができる。すなわち、ビジネスバックに収納できる収納可能状態から携帯型スクリーンを使用できる使用可能状態に変化させ、または、携帯型スクリーンを使用できる使用可能状態からビジネスバックに収納できる収納可能状態に変化させることができる。
【００２４】
スライド部材５は、外装パネルの状態を変化させる機能を有し、右パネル２ａと左パネル２ｂとの間をスライドする。
【００２５】
右パネル２ａには、右パネル２ａの厚み方向の厚さを薄くすることにより形成される凹みレール３ａが設けられている。また、凹みレール３ａ上を移動するスライド部材５に当接してスライド部材５のスライドを停止させる右ストッパー部材４ａが設けられている。
【００２６】
左パネル２ｂには、左パネル２ｂの厚み方向の厚さを薄くすることにより形成され凹みレール３ａの一方の端部と接続する凹みレール３ｂが設けられている。また、凹みレール３ｂ上を移動するスライド部材５に当接してスライド部材５のスライドを停止させる左ストッパー部材４ｂが設けられている。
【００２７】
スライド部材５は、凹みレール３ａ，３ｂと右ストッパー部材４ａと左ストッパー部材４ｂを利用して、右パネル２ａと左パネル２ｂとの間をスライドする。右パネル２ａと左パネル２ｂは、スライド部材５が右パネル２ａ上のみに位置するときにスクリーンシート１の投影面を覆うことができ、スライド部材５が右パネル２ａと左パネル２ｂとを跨ぐように位置するときにスクリーンシート１の投影面を露出させた状態でスクリーンシート１の位置を保持できる。これにより、右パネル２ａと左パネル２ｂは、スクリーンシート１を保護する機能と、スクリーンシート１の投影面を露出させつつスクリーンシート１の位置を保持する機能とを有し、スライド部材５の位置によりこれらの機能を使い分けるので、携帯型スクリーン１００の利便性を損なうことなく、携帯型スクリーン１００をコンパクトにすることができる。その結果、ビジネスバックへの収納性が良く持ち運びに便利な携帯型スクリーンを実現できる。
【００２８】
図２、図３は、本発明の実施の形態１における携帯型スクリーンのスライド部材を示す図である。なお、図２は右パネルと左パネルがスクリーンシートの投影面を覆うことができる状態を示した斜視図であり、図３は右パネルと左パネルがスクリーンシートの投影面を露出させつつスクリーンシートの位置を保持する状態を示した図である。
【００２９】
スライド部材５は、凹みレール３ａ，３ｂ上を移動可能である。また、スライド部材５は、凹みレール３ａの右側端部に近づくと右ストッパー部材４ａに当接して停止し、凹みレール３ｂの左側端部に近づくと左ストッパー部材４ｂに当接して停止する。
【００３０】
図２に示す状態では、スライド部材５が右ストッパー部材４ａに当接し凹みレール３ａ上のみに位置するので、右パネル２ａと左パネル２ｂはスクリーンシート１の投影面を覆うことができる状態である。また、図３に示す状態では、スライド部材５が左ストッパー部材４ｂに当接し凹みレール３ａと凹みレール３ｂとを跨ぐように位置するので、右パネル２ａと左パネル２ｂはスクリーンシート１の投影面を露出させつつスクリーンシート１の位置を保持できる状態である。これにより、凹みレール３ａと凹みレール３ｂとの間を移動するスライド部材５を安定して移動させることができ、右ストッパー部材４ａと左ストッパー部材４ｂによりスライド部材５を確実に停止させるので、スクリーンシート１を保護する機能と、スクリーンシート１の投影面を露出させつつスクリーンシートの位置を保持する機能とを確実に使い分けることができる。
【００３１】
すなわち、スライド部材５を図２の状態から図３の状態に変化させると、右パネル２ａと左パネル２ｂを開いてスクリーンシート１の投影面を露出させることができ、ビジネスバックに収納できる収納可能状態から携帯型スクリーンを使用できる使用可能状態に変化させることができる。また、スライド部材５を図３の状態から図２の状態に変化させると、右パネル２ａと左パネル２ｂを閉じてスクリーンシート１の投影面を覆うことができ、携帯型スクリーンを使用できる使用可能状態からビジネスバックに収納できる収納可能状態に変化させることができる。
【００３２】
また、図３に示す右パネル２ａと左パネル２ｂとを開いた状態では、右パネル２ａと左パネル２ｂとがスクリーンシート１に一定の張力を与えるため、目視上、スクリーンシート１と凹みヒンジ１ａの段差による影響を与えない。
【００３３】
図４は、本発明の実施の形態１における携帯型スクリーンの斜視図であり、携帯型スクリーンを閉じた状態（スクリーンシートの投影面を覆った状態）を表側から見た図である。なお、本実施の形態１における背面カバーは、背面スタンドカバー７に相当する。
【００３４】
右パネル２ａと左パネル２ｂは、スクリーンシート１が貼り付けられた面を内側として折り曲げが可能となっている。図１に示す右見開き部２ｃと左見開き部２ｄがスクリーンシート１側に折り曲げられた後、さらに右パネル２ａと左パネル２ｂが内側に折り曲げられることにより、携帯型スクリーンをコンパクトな形状に変更できる。
【００３５】
なお、図７に示すように、右見開き部２ｃには面ファスナー６ａ，６ｂが両面テープなどで固定され、左見開き部２ｄには面ファスナー６ｃ，６ｄが両面テープなどで固定されている。この面ファスナー６ａ，６ｂと面ファスナー６ｃ，６ｄが接触することにより、携帯型スクリーンを閉じた状態で保持できる。
【００３６】
右パネル２ａと左パネル２ｂには、背面スタンドカバー７が取り付けられている。この背面スタンドカバー７は、右パネル２ａと左パネル２ｂの境界の少なくとも一部をスクリーンシート１と反対側の面から覆っている。右パネル２ａと左パネル２ｂとを閉じている状態では、右パネル２ａと左パネル２ｂとの間にわずかな隙間が生じるため、背面スタンドカバー７はこの隙間を覆うことを１つの目的として設けられている。背面スタンドカバー７は、右パネル２ａと左パネル２ｂとがスクリーンシート１の投影面を覆うように重なっているときに右パネル２ａと左パネル２ｂに沿って位置している。
【００３７】
携帯型スクリーンを閉じた状態の外形サイズは、カバンやオフィス脇机に収納可能なＡ４サイズファイルサイズを基準にし、スクリーン横巾ができるだけ大きくなるようにスクリーンシートサイズが決定されている。Ａ４紙サイズはタテ２９７ｍｍ：ヨコ２１０ｍｍで、Ａ４ファイル規格としてはタテ３０７ｍｍ：ヨコ２１０＋αｍｍであり、ヨコ巾はファイルとじ具などの形態によって異なることを想定している。
【００３８】
本実施の形態においては、Ａ４ファイル規格を考慮して、スクリーン外形寸法をタテ３０７ｍｍ前後：ヨコ２７０ｍｍ程度にしている。この外形サイズで、二つに折り畳んでいるスクリーンを広げると、見開いたスクリーンシート（画面）サイズは、タテ２８６ｍｍ：ヨコ５０８ｍｍ程度で、画面サイズ２３インチ（アスペクト比１６：９）程度になる。そのため、通常モバイルノートパソコンと呼ばれているパソコン画面のサイズの１５インチ以下サイズより十分広く、数人レベルでの打合せでは十分見易い画面サイズになっている。外形サイズは、Ａ４ファイルサイズ基準に合わせているため、ビジネスバッグに入れて持ち運び易く、脇机への収納性も良い。
【００３９】
図５は、本発明の実施の形態１におけるスライド部材の斜視図であり、スクリーンシート側から見た図である。また、図６は、本発明の実施の形態１におけるスライド部材の断面図であり、右パネル２ａ側から見た断面である。
【００４０】
スライド部材５は、複数の平面により構成され、少なくとも１つの面に切り込みが設けられ筒形状をしている。本実施の形態１におけるスライド部材５は、６つの面から構成され、１つの面５ａに切り込み５ｂが設けられている。スライド部材５はこの切り込み５ｂに隣接する面で凹みレール３ａ，３ｂを挟み込むように配置され、スライド部材５を凹みレール３ａ，３ｂ上で移動可能としている。
【００４１】
また、スライド部材５は、右パネル２ａの端部１２ａの少なくとも一部を覆うと共に、右パネル２ａの主平面に対して垂直に位置する平面５ｃを有する。携帯型スクリーン１００は、図１に示すように、スライド部材５の平面５ｃが携帯型スクリーン１００の設置面と接することにより、設置面に対して直立する。これにより、携帯型スクリーン１００を設置面に対して直立させるスタンドとしてスライド部材５を利用するので、携帯型スクリーン１００のコンパクト性を維持しつつ携帯型スクリーン１００の利便性を向上させることができる。
【００４２】
携帯型スクリーン１００は、図１に示すように、右パネル２ａの側方端部に隣接する右見開き部２ｃと、左パネル２ｂの側方端部に隣接する左見開き部２ｄとを有している。
【００４３】
右パネル２ａと右見開き部２ｃとの境界上には凹みヒンジ１２ｃが設けられ、この凹みヒンジ１２ｃは屈曲するヒンジとしての働きを持つ。通常、右見開き部２ｃは、自然状態において、右パネル２ａに対して７０〜９０度の角度を有するように加工されている。また、左パネル２ｂと左見開き部２ｄとの境界上には凹みヒンジ１２ｄが設けられ、この凹みヒンジ１２ｄは屈曲するヒンジとしての働きを持つ。通常、左見開き部２ｄは、自然状態において、左パネル２ｂに対して７０〜９０度の角度を有するように加工されている。
【００４４】
そのため、スライド部材５を右パネル２ａと左パネル２ｂとを跨ぐように位置させると、右パネル２ａの端部１２ａ、左パネル２ｂの端部１２ｂ、右見開き部２ｃの端部１２ｅ、左見開き部２ｄの端部１２ｆは、携帯型スクリーン１００の設置面に対して略コの字の形状を形成する。この略コの字形状を利用して、スライド部材５の平面５ｃと、右見開き部２ｃと、左見開き部２ｄとを携帯型スクリーン１００の設置面に接触させ、携帯型スクリーン１００を設置面に対して直立させることができる。これにより、携帯型スクリーン１００を設置面に対して直立させるスタンドとして、スライド部材５と、右見開き部２ｃと、左見開き部２ｄとを利用するので、携帯型スクリーン１００の直立姿勢を安定して維持することができる。
【００４５】
図７は、本発明の実施の形態１における携帯型スクリーンの斜視図であり、携帯型スクリーンを開いた状態（投影面を露出させた状態）を裏側から見た図である。
【００４６】
背面スタンドカバー７は、図４に示す状態のとき、すなわち右パネル２ａと左パネル２ｂとがスクリーンシート１の投影面を覆うように重なっているときに右パネル２ａと左パネル２ｂに沿って位置している。このとき、背面スタンドカバー７の下部７ａは右パネル２ａの端部１２ｇおよび左パネル２ｂの端部１２ｈに重なるように位置する。
【００４７】
また、背面スタンドカバー７は、図７に示す状態のとき、すなわち、右パネル２ａと左パネル２ｂとがスクリーンシート１の投影面を露出させるように開いているときに右パネル２ａと左パネル２ｂとから離反するように突出する。このとき、突出する背面スタンドカバー７の下部７ａは、机などの設置面に当接する。さらに、右パネル２ａの端部１２ｇと、左パネル２ｂの端部１２ｈと、右見開き部２ｃの端部１２ｉと、左見開き部２ｄの端部１２ｊも、それぞれ設置面に当接する。これにより、携帯型スクリーン１００を設置面に対して直立させるスタンドとして、右パネル２ａと、左パネル２ｂと、右見開き部２ｃと、左見開き部２ｄと、背面スタンドカバー７とを利用するので、携帯型スクリーン１００を設置面に対して直立させ、その直立姿勢を維持することができる。
【産業上の利用可能性】
【００４８】
本発明は、ビジネスバッグへの収納性が良く持ち運びに便利なため、プロジェクターの投射光を投影する携帯型スクリーンなどに適応可能である。
【符号の説明】
【００４９】
１    スクリーンシート
１ａ    凹みヒンジ
２ａ    右パネル
２ｂ    左パネル
２ｃ    右見開き部
２ｄ    左見開き部
３ａ    凹みレール
３ｂ    凹みレール
４ａ    右ストッパー部材
４ｂ    左ストッパー部材
５    スライド部材
６ａ，６ｂ，６ｃ，６ｄ    面ファスナー
７    背面スタンドカバー
７ａ    下部
１２ａ，１２ｂ，１２ｅ，１２ｆ，１２ｇ，１２ｈ，１２ｉ，１２ｊ    端部
１２ｃ，１２ｄ    凹みヒンジ
１００    携帯型スクリーン
【図１】
2014123010.tif 000003
【図２】
2014123010.tif 000004
【図３】
2014123010.tif 000005
【図４】
2014123010.tif 000006
【図５】
2014123010.tif 000007
【図６】
2014123010.tif 000008
【図７】
2014123010.tif 000009